【手続補正書】
【提出日】平成15年12月3日(2003.12.3)
【手続補正１】
【補正対象書類名】明細書
【補正対象項目名】発明の名称
【補正方法】変更
【補正の内容】
【発明の名称】モータ制御装置及びテープレコーダ


【手続補正２】
【補正対象書類名】明細書
【補正対象項目名】特許請求の範囲
【補正方法】変更
【補正の内容】
【特許請求の範囲】
【請求項１】
キャプスタンとピンチローラとでテープ状の記録媒体を挟持した状態で上記キャプスタンをモータにより回転させることにより上記記録媒体を走行させるためのモータ制御装置において、
上記キャプスタン及びピンチローラと上記記録媒体との間の滑りを検出する滑り検出手段と、
上記滑り検出手段が上記滑りを検出したとき上記モータの速度を増加させる制御手段とを備えることを特徴とするモータ制御装置。
【請求項２】
上記記録媒体にはその長手方向に対して斜めに形成されたトラックに主信号とトラッキング制御用の所定の信号とが記録されており、
上記記録媒体から信号を再生する再生手段と、
上記再生手段により再生された再生信号に含まれる上記所定の信号に基づいて上記再生手段と上記記録媒体とのトラッキング制御を行うトラッキング制御手段とを備え、
上記滑り検出手段は、上記トラッキング制御手段から得られるトラッキング状態を示す信号に基づいて上記滑りを検出することを特徴とする請求項１記載のモータ制御装置。
【請求項３】
上記モータの目標速度を設定する設定手段と、
上記モータの回転を検出する回転検出手段と、
上記回転検出手段の検出出力に基づいて上記モータの速度を上記設定手段が設定した速度に制御する速度制御手段とを設け、
上記制御手段は、上記設定手段に対して設定速度を増加させることを特徴とする請求項１記載のモータ制御装置。
【請求項４】
長手方向に対して斜めに形成されたトラックに主信号とトラッキング制御用の所定の信号とが記録されたテープ状の記録媒体をピンチローラとキャプスタンとで挟持した状態で上記キャプスタンをモータにより回転させることにより上記記録媒体を走行させる走行手段と、
上記記録媒体から信号を再生する再生手段と、
上記再生手段により再生された再生信号に含まれる所定の信号に基づいて上記記録媒体と上記再生手段とのトラッキング制御を行うトラッキング制御手段と、
上記トラッキング制御手段から得られたトラッキング状態を示す信号に基づいてトラッキングがとれているか否かを検出するトラッキング検出手段と、
高速サーチ再生モードにおいて、上記トラッキング検出手段によりトラッキングがとれていないことが検出されたことに応じて上記モータの速度を増加させる制御手段とを備えることを特徴とするテープレコーダ。
【請求項５】
上記モータの目標速度を設定する設定手段と、
上記モータの回転を検出する回転検出手段と、
上記回転検出手段の検出に基づいて上記モータの速度を上記設定手段が設定した速度に制御する速度制御手段とを備え、
上記制御手段は、上記設定手段に対して設定速度を増加させることを特徴とする請求項４記載のテープレコーダ。
【請求項６】
上記記録媒体上に信号が記録されていないことを検出する無記録検出手段を備え、
上記制御手段は、上記信号が記録されないことが検出されたとき、上記速度を増加させる制御を停止すると共に上記設定手段をリセットすることを特徴とする請求項５記載のテープレコーダ。
【請求項７】
キャプスタンとピンチローラとでテープ状の記録媒体を挟持した状態で上記キャプスタンをモータにより回転させることにより上記記録媒体を走行させる走行手段と、
上記記録媒体から信号を再生する再生手段と、
上記キャプスタン及びピンチローラと上記記録媒体との間の滑りを検出する滑り検出手段と、
高速サーチ再生モードにおいて、上記滑り検出手段が滑りを検出したことに応じて上記モータの速度を増加させる制御手段とを備えることを特徴とするテープレコーダ。
【手続補正３】
【補正対象書類名】明細書
【補正対象項目名】０００１
【補正方法】変更
【補正の内容】
【０００１】
【発明の属する技術分野】
本発明は、キャプスタンとピンチローラとによってテープを走行させるようにしたヘリカルスキャン型ビデオテープレコーダ（ＶＴＲ）の高速テープ走行時におけるキャプスタンモータの制御に用いて好適なモータ制御装置及びテープレコーダに関するものである。


【手続補正４】
【補正対象書類名】明細書
【補正対象項目名】０００９
【補正方法】変更
【補正の内容】
【０００９】
本発明の目的は、テープ走行時にテープと給送機構（ピンチローラ及びキャプスタン）との間で滑りが発生しても、所定の速度でテープを走行させることが可能なモータ制御装置及びテープレコーダを提供することである。
本発明の他の目的は、ヘリカルスキャン型ＶＴＲ等において、テープと給送機構との間で滑りが発生しても、それに追従してトラッキングをとることが可能なモータ制御装置及びテープレコーダを提供することである。
本発明の他の目的は、無記録部分を再生した場合の誤動作を防止することである。


【手続補正５】
【補正対象書類名】明細書
【補正対象項目名】００１０
【補正方法】変更
【補正の内容】
【００１０】
【課題を解決するための手段】
本発明に係るモータ制御装置は、キャプスタンとピンチローラとでテープ状の記録媒体を挟持した状態で上記キャプスタンをモータにより回転させることにより上記記録媒体を走行させるためのモータ制御装置において、上記キャプスタン及びピンチローラと上記記録媒体との間の滑りを検出する滑り検出手段と、上記滑り検出手段が上記滑りを検出したとき上記モータの速度を増加させる制御手段とを備えることを特徴とする。


【手続補正６】
【補正対象書類名】明細書
【補正対象項目名】００１１
【補正方法】変更
【補正の内容】
【００１１】
本発明に係るテープレコーダは、長手方向に対して斜めに形成されたトラックに主信号とトラッキング制御用の所定の信号とが記録されたテープ状の記録媒体をピンチローラとキャプスタンとで挟持した状態で上記キャプスタンをモータにより回転させることにより上記記録媒体を走行させる走行手段と、上記記録媒体から信号を再生する再生手段と、上記再生手段により再生された再生信号に含まれる所定の信号に基づいて上記記録媒体と上記再生手段とのトラッキング制御を行うトラッキング制御手段と、上記トラッキング制御手段から得られたトラッキング状態を示す信号に基づいてトラッキングがとれているか否かを検出するトラッキング検出手段と、高速サーチ再生モードにおいて、上記トラッキング検出手段によりトラッキングがとれていないことが検出されたことに応じて上記モータの速度を増加させる制御手段とを備えることを特徴とする。


【手続補正７】
【補正対象書類名】明細書
【補正対象項目名】００１２
【補正方法】変更
【補正の内容】
【００１２】
【作用】
本発明に係るモータ制御装置によれば、滑り検出手段がキャプスタン及びピンチローラとテープ状記録媒体との間の滑りを検出すると、制御手段はモータの速度を増加させるので、滑りによるテープ速度の低下を補償し、記録媒体を所定速度で走行させることができる。


【手続補正８】
【補正対象書類名】明細書
【補正対象項目名】００１３
【補正方法】変更
【補正の内容】
【００１３】
本発明に係るテープレコーダによれば、トラッキング制御手段は記録媒体の再生手段から得られる再生信号に含まれるトラッキング制御用の所定の信号に基づいてトラッキング制御を行う。このときトラッキング制御手段から得られるトラッキング状態を示す信号からトラッキング検出手段が滑りによってトラッキングがとれていないことを検出すると制御手段はモータの速度を増加させるので、滑りによって画面上でノイズバーが上下に動くことを防止することができる。


【手続補正９】
【補正対象書類名】明細書
【補正対象項目名】００２０
【補正方法】変更
【補正の内容】
【００２０】
【発明の効果】
以上説明したように、本発明に係るモータ制御装置によれば、テープ走行時にテープと給送機構との間で滑りが発生しても、所定の速度でテープ走行させることができる。
また、本発明に係るテープレコーダによれば、例えばヘリカルスキャン型のＶＴＲ等において、テープと給送機構との間で滑りが発生しても、それに追従してトラッキングをとることができノイズバーを固定することができる。
更に、本発明に係るテープレコーダにおいて、無記録検出手段を設け、信号が記録されないことが検出されたとき、制御手段が速度を増加させる制御を停止すると共に設定手段をリセットするように構成した場合には、無記録部分を再生した場合の誤動作を防止することができる。